(57)【要約】【課題】ハンガーを用意しなくても、靴を逆さ向きに吊るし、効率的に靴を乾かすことができる吊り具付き靴を提供する。【解決手段】吊り具付き靴１は、使用者が歩行に際し接地する靴底面を有するソール部１０ｂ、およびソール部１０ｂの上部に位置して使用者の足を包むように形成されるアッパー部１０ａからなる靴と、靴の後方側面下部１１、横側面下部、前方側面下部、またはつま先の上部に配設された吊り具２０と、を備える。それにより、靴を逆さ向きに吊るして効率的に靴を乾かすことができ、また、使用者が靴を吊るすための吊り具を容易に認識することができる。【選択図】図１
2015216954.tif 000002
【特許請求の範囲】
【請求項１】
使用者が歩行に際し接地する靴底面を有するソール部、および前記ソール部の上部に位置して前記使用者の足を包むように形成されるアッパー部からなる靴と、
前記靴の側面下部または当該靴のつま先の上部に配設された吊り具と、
を備えることを特徴とする吊り具付き靴。
【請求項２】
前記吊り具が、前記靴を吊るすための吊り部と、当該吊り部を前記靴と接続する接続部とを備え、
前記接続部が、前記靴に対して垂直になる垂直状態と当該靴に対して水平になる水平状態との間で前記吊り部を移動可能にする回転部材を有することを特徴とする請求項１に記載の吊り具付き靴。
【請求項３】
前記靴が、長靴であることを特徴とする請求項１または請求項２に記載の吊り具付き靴。
【発明の詳細な説明】
【技術分野】
【０００１】
本発明は、効率的に吊るして乾かすことができる吊り具付き靴に関する。
【背景技術】
【０００２】
従来から、靴、特に長靴において、洗濯した後や雨天の使用等によって、靴の内部に溜まってしまった水滴を効率的に乾かすためのハンガーが提案されてきている。例えば、靴やブーツ等をその外側から挟着保持する靴用ハンガー、具体的には、底面を上側にした靴の靴底と側革との境界付近を踵部側から靴の先端方向に向かって挟着保持するとともに、靴底を挟着抱持するようにした靴用ハンガーが提案されている（例えば、特許文献１参照）。また、逆さ向きにした靴外側の甲部と踵部の二箇所を段違い平行棒の形態で支持することによりズック、スニーカー、長靴等、形状の異なる様々な靴類を干すことができる靴干しハンガーが提案されている（例えば、特許文献２参照）。
【先行技術文献】
【特許文献】
【０００３】
【特許文献１】特開２００４−２０２０７６号公報
【特許文献２】特開２０１２−１３９４４３号公報
【発明の概要】
【発明が解決しようとする課題】
【０００４】
しかしながら、靴を逆さ向きに吊るためには、特許文献１および２で提案されているハンガーを靴とは別に用意しなければ、靴を逆さ向きにして干したい場合であっても干すことができないことがあるという問題点があった。
【０００５】
そこで、上記課題に鑑みて、本発明では、ハンガーを用意しなくても、靴を逆さ向きに吊るして効率的に靴を乾かすことができ、また、使用者が吊り具を容易に認識し、簡易に使用することができる吊り具付き靴を提供することを目的とする。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）  本発明は、使用者が歩行に際し接地する靴底面を有するソール部（１０ａ）、および前記ソール部の上部に位置して前記使用者の足を包むように形成されるアッパー部（１０ｂ）からなる靴と、前記靴の側面下部（１１，１２，１３）または当該靴のつま先の上部（１４）に配設された吊り具（２０）と、を備えることを特徴とする吊り具付き靴を提案している。
【０００８】
この発明によれば、吊り具によって、靴を逆さ向きに吊るし、効率的に靴を乾かすことができる。また、吊り具が靴外側に配設されていることにより、使用者は吊り具を容易に認識し、簡易に使用することができる。
【０００９】
（２）  本発明は、（１）の吊り具付き靴について、前記吊り具（３０）が、前記靴を吊るすための吊り部（３２）と、当該吊り部を前記靴と接続する接続部（３１）とを備え、前記接続部が、前記靴に対して垂直になる垂直状態と当該靴に対して水平になる水平状態との間で前記吊り部を移動可能にする回転部材（３３）を有することを特徴とする吊り具付き靴を提案している。
【００１０】
この発明によれば、使用者は容易に吊り具を認識し簡易に使用することができるとともに、吊り部を靴と水平状態とすることにより、歩行時に吊り部が邪魔にならなくすることができる。
【００１１】
（３）  本発明は、（１）または（２）の吊り具付き靴について、前記靴が、長靴であることを特徴とする吊り具付き靴を提案している。
【００１２】
この発明によれば、靴を長靴とすることができる。
【発明の効果】
【００１３】
本発明によれば、靴を逆さ向きに吊るして効率的に靴を乾かすことができ、また、使用者が吊り具を容易に認識し、簡易に使用することができる。
【図面の簡単な説明】
【００１４】
【図１】本発明の実施例１に係る吊り具付き靴の一態様を示す斜視図である。
【図２】本発明の実施例１に係る吊り具付き靴の別の態様を示す斜視図である。
【図３】本発明の実施例１に係る吊り具付き靴の別の態様を示す斜視図である。
【図４】本発明の実施例１に係る吊り具付き靴の別の態様を示す斜視図である。
【図５】本発明の実施例２に係る吊り具付き靴の一態様を示す斜視図である。
【発明を実施するための形態】
【００１５】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００１６】
＜実施例１＞
実施例１に係る吊り具付き靴について、図１〜図４を用いて説明する。
【００１７】
図１は、本発明の実施例１に係る吊り具付き靴１の一態様を示す斜視図である。図１に示すように、本実施例に係る吊り具付き靴１は、アッパー部１０ａ、ソール部１０ｂ、および吊り具２０を備える。
【００１８】
アッパー部１０ａは、ソール部１０ｂの上部に位置して使用者の足を包むように形成されている。ソール部１０ｂは、使用者が歩行に際し接地する靴底面を有する。本実施例において、吊り具付き靴１を長靴とするが、スニーカーやサンダルであってもよい。図２〜図４についても同様である。
【００１９】
図１に示す吊り具２０は、吊り具付き靴１の後方側面下部１１において、後方側面下部１１に垂直、かつ地面に水平に配設されている。なお、吊り具２０は、後方側面下部１１の任意の位置に配設されてよく、地面に垂直に配設されてもよい。
【００２０】
図２に示す吊り具２０は、吊り具付き靴２の横側面下部１２において、横側面下部１２に垂直、かつ地面に水平に配設されている。なお、吊り具２０も、横側面下部１２の任意の位置に配設されてよく、地面に垂直に配設されてもよい。
【００２１】
図３に示す吊り具２０は、吊り具付き靴３の前方側面下部１３において、前方側面下部１３に垂直、かつ地面に水平に配設されている。なお、吊り具２０も、前方側面下部１３の任意の位置に配設されてよく、地面に垂直に配設されてもよい。
【００２２】
図４に示す吊り具２０は、吊り具付き靴４のつま先上面１４において、つま先上面１４に垂直、かつ靴の長手方向（靴の幅方向に直交する方向）に水平に配設されている。なお、吊り具２０は、つま先上面１４の任意の位置に配設されてよく、靴の幅方向に水平に配設されてもよい。
【００２３】
図１〜図４の吊り具２０は、棒や突起物等にひっかける吊り部２２、および吊り部２２と吊り具付き靴１〜４それぞれとを接続する接続部２１から構成される。接続部２１によって、吊り具２０は吊り具付き靴１〜４それぞれに接着剤等によって接着される。吊り部２２と吊り具付き靴１〜４それぞれとを接続できれば、接続部２１の形状は任意であってよい。なお、吊り具２０は、吊り具付き靴１〜４それぞれに一体形成されてもよい。
【００２４】
吊り部２２は、棒や突起物に吊り下げることが可能な形状であればループ形状に限らず、例えば、カギ形状やＬ字形状等であってもよい。吊り具２０の大きさや材質は、任意である。なお、吊り具２０の材質には、例えばゴムやシリコンゴムといった、弾性素材であることが好ましい。吊り具付き靴１の使用時に、吊り具２０が石や壁といった障害物にあたっても破損しにくいからである。
【００２５】
以上説明したように、本実施例によれば、吊り具付き靴の側面下部、または吊り具付き靴のつま先上面に吊り具を配設することにより、吊り具２０を棒や突起に引っ掛けて、履き口を下方に向けて吊り具付き靴を吊るすことができる。その結果、吊り具付き靴の内部に溜まってしまった水滴を効率的に乾かすことができる。また、履き口を下方に向けていることにより、長時間吊り具付き靴１を使用しない場合に靴内にごみ等が入り込むことを防ぐこともできる。
【００２６】
また、吊り具が吊り具付き靴の側面、すなわち外側に配設されていることにより、使用者は吊り具を容易に認識することができ、また、なんの動作も必要とせずに簡易に履き口を下方に向けて吊り具付き靴を吊るすことができる。
【００２７】
＜実施例２＞
実施例２に係る吊り具付き靴２について、図５を用いて説明する。なお、実施例１と同一の符号を付す構成要素については、同一の機能を有することから、その詳細な説明は省略する。
【００２８】
図５は、本発明の実施例２に係る吊り具付き靴５の一態様を示す斜視図である。図５に示すように、本実施例に係る吊り具付き靴５は、アッパー部１０ａ、ソール部１０ｂ、および吊り具３０を備える。
【００２９】
本図において、吊り具３０は、図１と同様に、吊り具付き靴５の後方側面下部１１において、後方側面下部１１に垂直、かつ地面に水平に配設されているが、図２〜４に示した位置に配設されてもよい。
【００３０】
吊り具３０は、棒や突起物等にひっかける吊り部３２、および吊り部３２と吊り具付き靴５とを接続する接続部３１から構成される。接続部３１によって、吊り部３２は吊り具付き靴５に接着剤等によって接着される。
【００３１】
吊り部３２は、接続部３１に回転部材３３で取り付けられている。それにより、吊り部３２は、吊り具付き靴５の後方側面下部１１に対して垂直になる垂直状態と水平になる水平状態との間で移動可能になっている。吊り部３２が吊り具付き靴５の後方側面下部１１と水平状態となったときには、吊り部３２は接続部３１の上側であってもよいし、下側であってもよい。なお、垂直状態から水平状態の間の任意の角度で、吊り部３２を固定できるようにしてもよい。
【００３２】
以上説明したように、本実施例によれば、吊り具付き靴の履き口を下方に向けて吊るすための吊り具が、吊り具付き靴側面と水平になるように回転可能であることにより、歩行時に吊り部が邪魔にならなくすることができる。
【００３３】
（変形形態）
図１〜図５に示した吊り具付き靴１〜５の上部側面、特に、履き口周囲に吊り具を配設してもよい。それにより、吊り具付き靴１〜５を、履き口を下方に向けて吊るすこともできるとともに、履き口を上方に向けて吊るすことも可能となる。
【００３４】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００３５】
１０ａ；アッパー部
１０ｂ；ソール部
２０，３０；吊り具
２１，３１；接続部
２２，３２；吊り部
３３；回転部材
【図１】
2015216954.tif 000003
【図２】
2015216954.tif 000004
【図３】
2015216954.tif 000005
【図４】
2015216954.tif 000006
【図５】
2015216954.tif 000007